【手続補正書】
【提出日】平成21年8月25日(2009.8.25)
【手続補正１】
【補正対象書類名】特許請求の範囲
【補正対象項目名】全文
【補正方法】変更
【補正の内容】
【特許請求の範囲】
【請求項１】
帯電可能な遊技媒体を用いて遊技を行う遊技機であって、
遊技媒体を貯留する遊技媒体貯留部と、
前記遊技媒体を受ける受皿と、
前記遊技媒体貯留部と前記受皿とを連通する遊技媒体通路と、
前記遊技媒体貯留部および前記遊技媒体通路を接地するアース部と、
を備え、
前記遊技媒体貯留部と前記遊技媒体通路のそれぞれは、前記遊技媒体と接触する部位において、表面抵抗値が１０４〜１０６オームである導電性樹脂から形成されている、
遊技機。
【請求項２】
請求項１に記載の遊技機であって、
前記遊技媒体貯留部における前記導電性樹脂の前記表面抵抗値は、前記遊技媒体通路における前記導電性樹脂の前記表面抵抗値よりも小さく形成されている、
遊技機。
【請求項３】
請求項１または請求項２に記載の遊技機であって、
前記遊技媒体貯留部と前記遊技媒体通路とは、一体に形成されている、
遊技機。
【手続補正２】
【補正対象書類名】明細書
【補正対象項目名】０００６
【補正方法】変更
【補正の内容】
【０００６】
また、適用例１に記載の遊技機においては、前記導電性部材及び集電部材が設けられる位置が、前記遊技媒体通路において遊技媒体が通路壁面から一旦離れて再接触する部位の近傍とされていることが好ましい（適用例２）。
このような構成によれば、遊技媒体が通路壁面から離れて再接触（衝突）する際に発生する静電気を、この部分に配した導電性部材及び集電部材を介して速やかにアース部に流すことができる。
【手続補正３】
【補正対象書類名】明細書
【補正対象項目名】０００７
【補正方法】変更
【補正の内容】
【０００７】
また、適用例１に記載の遊技機においては、前記導電性部材及び集電部材が設けられる位置が、前記遊技媒体通路において、遊技媒体同士が離散、再接触する部位の近傍とされていることも好ましい（適用例３）。
このような構成によれば、遊技媒体同士が離散・再接触する際に発生する静電気を、この部分に配した導電性部材及び集電部材を介して速やかにアース部に流すことができる。
【手続補正４】
【補正対象書類名】明細書
【補正対象項目名】０００８
【補正方法】変更
【補正の内容】
【０００８】
また、適用例１に記載の遊技機においては、前記遊技媒体貯留部には、遊技機とは別体の外部装置から遊技媒体が供給されるように構成されており、前記遊技媒体貯留部に設けられた導電性部材の電気抵抗値と、前記遊技媒体通路に設けられた導電性部材の電気抵抗値とが異なるように調整されていることが好ましい（適用例４）。
このような構成では、遊技媒体貯留部に貯留される遊技媒体には外部装置を原因とする静電気（いわゆる、外因性の静電気）が帯電し、逆に遊技媒体通路を移動する遊技媒体には遊技媒体が通路に衝突等することを原因とする静電気（いわゆる、内因性の静電気）が帯電することとなる。
したがって、両者において除去しなければならない静電気のエネルギレベルは相違するため、遊技媒体貯留部と遊技媒体通路の両者に設ける導電性部材の電気抵抗値も異なるように調整することが好ましい。
例えば、外因性の静電気のエネルギレベルが高くなる場合には、除去すべき静電気の量が多くなるため、遊技媒体貯留部に設けられる導電性部材の電気抵抗値を低くし静電気を速やかに除去することが好ましい。
逆に、内因性の静電気は、その発生原因からエネルギレベルが低いため、遊技媒体通路に設ける導電性部材の電気抵抗値を上げても構わない。
【手続補正５】
【補正対象書類名】明細書
【補正対象項目名】００１０
【補正方法】変更
【補正の内容】
【００１０】
また、上述した発明（導電性部材の電気抵抗値を調整する発明）は、パチンコ機等の弾球遊技機に適用することができる。
すなわち、本発明を適用した弾球遊技機の一態様としては、遊技球を貯留する球貯留部と、該球貯留部に貯留された遊技球を遊技者に払出す払出装置と、該払出装置から払出された遊技球を受ける受皿と、前記球貯留部と前記払出装置とを連通する第１の球通路と、前記払出装置と前記受皿とを連通する第２の球通路とを備えた弾球遊技機であって、前記球貯留部、払出装置、第１の球通路、第２の球通路の少なくとも一部分が所定の電気抵抗値を有する導電性樹脂で形成され、前記払出装置、第１の球通路及び第２の球通路において、前記導電性樹脂よりも電気抵抗値の低い部材は、遊技球と直接接触する部位には配置されないことを特徴とする（適用例５）。
このような構成によれば、遊技球に帯電した静電気が流れる導電性樹脂で形成された部位が所定の電気抵抗値を備えるため、遊技媒体から導電性樹脂に流れる電流のピーク値が抑制される。
また、払出装置、第１の球通路及び第２の球通路においては、上記導電性樹脂よりも電気抵抗値が低い部材が遊技球と直接接触する部位には配されないため遊技球からこれらの部材側に流れる電流のピーク値が抑えられる。
したがって、誤動作の原因となる大きなスパイク状ノイズの発生を抑制することができる。
ここで、パチンコ機等の弾球遊技機の場合、前記導電性樹脂の電気抵抗値（表面抵抗値）は、１０４〜１０６オームの範囲とされていることが好ましい。
１０４オームより小さい場合には電流のピーク値が大きくなりすぎる場合があり、１０６オームより大きくなると、遊技球から静電気が流れにくくなりすぎて遊技球から静電気を充分に除去できないためである。
【手続補正６】
【補正対象書類名】明細書
【補正対象項目名】００１１
【補正方法】変更
【補正の内容】
【００１１】
ここで、適用例５に記載の弾球遊技機においては、前記第１の球通路と前記第２の球通路の全体が導電性樹脂で形成されていることが好ましい（適用例６）。
このような構成によれば遊技球と導電性樹脂が接触している時間を長くすることができるため、導電性樹脂の電気抵抗値を上げても遊技球から静電気を充分に除去することができる。
また、導電性樹脂の電気抵抗値を上げることができるため、遊技球から導電性樹脂に流れる電流のピーク値をより低く抑えることができる。
【手続補正７】
【補正対象書類名】明細書
【補正対象項目名】００１２
【補正方法】変更
【補正の内容】
【００１２】
また、適用例５に記載の弾球遊技機においては、前記球貯留部、前記払出装置、前記第１の球通路、前記第２の球通路の全体が導電性樹脂で形成されると共に、これらの所定部位に前記導電性樹脂よりも電気抵抗値が低い集電部材が設けられ、該集電部材が遊技機に設けられたアース部と電気的に接続されていることが好ましい。
このような構成によれば、導電性樹脂に流れた静電気を、集電部材を介してアース部に効率的に流すことができる。
この際、前記第１の球通路及び／又は前記第２の球通路の長さと電気抵抗値とが、所定の値に調整されていることが好ましい。
第１の球通路と第２の球通路の長さ及び電気抵抗値を調整することで、これらの通路で除去できる静電気の量を調整することができるためである。
すなわち、通路長を長くすると除去可能な静電気の量が多くなり、また、電気抵抗値を上げると除去可能な静電気の量が少なくなる。
したがって、これらの通路で除去する静電気の量（発生する静電気の量）に応じて、通路長及び電気抵抗値を調整すれば良い。
【手続補正８】
【補正対象書類名】明細書
【補正対象項目名】００１３
【補正方法】変更
【補正の内容】
【００１３】
さらに、適用例５に記載の弾球遊技機において、前記球貯留部に、遊技機とは別体の外部装置から遊技球が供給されるように構成されている場合には、前記集電部材が、前記球貯留部と、これ以外の前記払出装置、第１の球通路、第２の球通路のいずれかに設けられており、前記球貯留部に設けられた集電部材とアース部との接続と、これ以外の集電部材とアース部との接続が電気的に分離されていることが好ましい。
このような構成においては、球貯留部では遊技球に外因性の静電気が帯電しており、それ以外の部分では遊技球に内因性の静電気が帯電する。
したがって、両者において除電される静電気のエネルギレベルが相違することとなるため、両者に配された集電部材とアース部との接続を電気的に分離することで、一方の集電部材からアース部に流れる電流が他方の集電部材とアース部とを接続する除電ラインに影響を与えることを防止することができる。
ここで、「電気的に分離する」には、アース部を完全に別に設ける場合のみならず、アース部と各集電部材の間に逆流防止部材（抵抗、アレスタ等）を設けて、一方の集電部材からアース部に流れた電流がアース部から他方の集電部材に流れることを防止するような場合をも含まれる。
なお、適用例５に記載の弾球遊技機においては、前記球貯留部に設けられる集電部材は、球貯留部の内壁に配設することが好ましい。
球貯留部の遊技球に帯電する外因性の静電気は、そのエネルギレベルが高いため速やかに除去することが好ましいためである。
ただし、球貯留部の導電性が高い場合（球貯留部が金属製となっている場合）等には、集電部材を球貯留部の内壁に配設するようにしても良い。